(57)【要約】【課題】ベッドに横たわっている人体の頭部，肩部，腰部等の各部を均等に安全に、かつ急速に持ち上げる人体左右均等急速持ち上げ装置を提供する。【解決手段】ベッド２に横たわっている人体１の頭部１ａ，肩部１ｂ，腰部１ｃに第１のベルト４，第２のベルト５，第３のベルト６を挿入しその左右端に支持ベルト９，１０を着脱可能に連結し支持ベルト９，１０をベッド２側に出入可能に形成されている巻き取り機構部に連結し、その巻き取りローラ機構部１４により急速に自動持ち上げを左右均等に行う。【選択図】図１
2015134139.tif 000002
【特許請求の範囲】
【請求項１】
ベッド上に横たわる人体の各部を左右均等に、かつ急速に持ち上げるための持ち上げ装置であって、該装置は、人体の各部を下面から支えると共に左右に伸延するベルトと、該ベルトに着脱可能に連結する支持ベルトと、該支持ベルトを巻き取って人体を持ち上げるための巻き取り機構部とからなり、該巻き取り機構部は、前記ベッドの下面にキャスタにより出入自在に形成されている下部枠体と該下部枠体の一端から立ち上がる垂直枠体と該垂直枠体の上部から前記下部枠体と平行に伸延する上部枠体とからなる枠体と、前記上部枠体に配置され前記支持ベルトを案内するローラ群と、前記垂直枠体に配置され前記支持ベルトを巻き取って急速移動させる前記巻き取りローラ機構部とからなり、該巻き取りローラ機構部は、垂直に立ち上がってモータにより駆動されるねじ棒と、該ねじ棒に螺着するナット体と該ナット体に下端を固定して立ち上がる筒体と、この上端に前記支持ベルトを巻き取る左右のローラとを有する巻き取り部とからなり、前記左右のローラに巻き取られる前記支持ベルトはその末端を前記垂直枠体に固定されることを特徴とする人体左右均等急速持ち上げ装置。
【請求項２】
人体各部の一部である頭部は、ベッド上に配置されている枕に支持され、前記頭部用のベルトは頭部を単独又は枕ごと持ち上げるものからなることを特徴とする請求項１に記載の人体左右均等急速持ち上げ装置。
【請求項３】
人体の一部である頭部及び肩部は前記ベルト上に配置される一体形状の保持シートに支持され、前記ベルトは保持シートごと前記頭部や肩部を持ち上げるものからなることを特徴とする請求項１に記載の人体左右均等急速持ち上げ装置。
【発明の詳細な説明】
【技術分野】
【０００１】  本発明は、ベッドに横たわっている人体の各部を単独又は同時に左右均等に、かつ急速に持ち上げる人体左右均等急速持ち上げ装置に関する。
【背景技術】
【０００２】  ベッドに横たわっている人体を持ち上げることの出来る装置としては数多くあるが、人体の各部を左右均等に、かつ安全で急速に夫々独立に又は全体として持ち上げる装置としては見当らない。但し、人体を持ち上げる装置としての公知技術としては、例えば「特許文献１」，「特許文献２」，「特許文献３」等がある。
【先行技術文献】
【特許文献】
【０００３】
【特許文献１】特開２０００−２１０３４６号（図１）
【特許文献２】特開平１０−２４８８８６号（図１）
【特許文献３】特開２００１−４８６号（図１）
【発明の概要】
【発明が解決しようとする課題】
【０００４】  「特許文献１」の「特開２０００−２１０３４６号」の「人体用リフター」はベッドシーツを交換するために人体を持ち上げるもので人体の下方に可撓帯状の吊り具を設け、この吊り具の端部を巻き取って人体を持ち上げるものであり、人体を左右均等に安全。かつ急速に持ち上げるものではなく、本発明とは相異するものである。【０００５】  「特許文献２」の「特開平１０−２４８８８６号」の「人体腰部持ち上げ装置」は、腰部を保持部材で保持し、この保持部材の左右端を上昇させるものであり、人体全体を夫々持ち上げるものではなく、安全で、かつ急速な持ち上げをするものでなく、本発明とは相異するものである。【０００６】  「特許文献３」の「特開２００１−４８６号」の「人体持ち上げ時段差にしたベッド及び取り外し可の人体持ち上げ装置」はベッドに横架している人体の腰や背中のあたりに凹部を設けて横から座板を入れて人体を持ち上げるものであり、装置構造としては本発明とはかなり相違するものである。【０００７】  以上のように、従来開示されている公知技術は本発明とは相違するものであり、本発明は、頭部，肩部，腰部の人体の各部をその下面からベルトにより保持し、このベルトの左右を均等に、安全、かつ急速に自動的に持ち上げるものであり、人体の各部を夫々単独に又は一緒に持ち上げることが出来る特徴を有する人体左右均等急速持ち上げ装置を提供することを目的とするものである。なお、本発明と近似する公知技術は本願の出願人の調査では見当らない。
【課題を解決するための手段】
【０００８】  本発明は、以上の目的を達成するために発明されたものであり、請求項１の発明は、ベッド上に横たわる人体の各部を左右均等に、かつ急速に持ち上げるための持ち上げ装置であって、該装置は、人体の各部を下面から支えると共に左右に伸延するベルトと、該ベルトに着脱可能に連結する支持ベルトと、該支持ベルトを巻き取って人体を持ち上げるための巻き取り機構部とからなり、該巻き取り機構部は、前記ベッドの下面にキャスタにより出入自在に形成されている下部枠体と該下部枠体の一端から立ち上がる垂直枠体と該垂直枠体の上部から前記下部枠体と平行に伸延する上部枠体とからなる枠体と、前記上部枠体に配置され前記支持ベルトを案内するローラ群と、前記垂直枠体に配置され前記支持ベルトを巻き取って急速移動させる前記巻き取りローラ機構部とからなり、該巻き取りローラ機構部は、垂直に立ち上がってモータにより駆動されるねじ棒と、該ねじ棒に螺着するナット体と該ナット体に下端を固定して立ち上がる筒体と、この上端に前記支持ベルトを巻き取る左右のローラとを有する巻き取り部とからなり、前記左右のローラに巻き取られる前記支持ベルトはその末端を前記垂直枠体に固定されることを特徴とする。【０００９】  また、請求項２の発明は、人体各部の一部である頭部は、ベッド上に配置されている枕に支持され、前記頭部用のベルトは頭部を単独又は枕ごと持ち上げるものからなることを特徴とする。【００１０】  また、請求項３の発明は、人体の一部である頭部及び肩部は前記ベルト上に配置される一体形状の保持シートに支持され、前記ベルトは保持シートごと前記頭部や肩部を持ち上げるものからなることを特徴とする。
【発明の効果】
【００１１】  本発明の請求項１の人体左右均等急速持ち上げ装置によれば、頭部，肩部，腰部等の人体の各部は夫々下面よりベルトにより支持され、このベルトの左右が支持ベルトにより夫々着脱可能に連結され、支持ベルトが枠体に設けられているローラ群を介して巻き取りローラ機構部により左右均等に、かつ安全で急速に巻き取られるものであり、これにより人体の各部が夫々単独又は同時に安全に急速に持ち上げされ、ベッドのシーツの交換や用便関係の各手段の動作や床ずれ防止等が容易に行われる効果を上げることが出来る。【００１２】  また、請求項２の人体左右均等急速持ち上げ装置によれば、頭部のみでなく、頭部を保持している枕ごと持ち上げることも出来、頭部を安全に、かつ心地よく持ち上げることが出来る。【００１３】  また、請求項３の人体左右均等急速持ち上げ装置によれば、頭部と肩部の全体を保持する保持シートを用いることにより人体の上部側全体を安全に持ち上げることが出来る。
【図面の簡単な説明】
【００１４】
【図１】本発明の全体構造の概要を示す側面図。
【図２】本発明の全体構造の概要を示す正面図。
【図３】巻き取りローラ機構部の巻き取り部の構造と動作を示す側面図。
【図４】巻き取り部による巻き取り動作の急速化を説明するための説明用拡大側面図。
【図５】頭部を枕ごと持ち上げる場合のベルトの支持状態を示す部分側面図。
【図６】保持シートを用いて頭部や肩部を持ち上げる場合のベルトの支持状態を示す部分側面図。
【発明を実施するための形態】
【００１５】  以下、本発明の人体左右均等急速持ち上げ装置の実施の形態を図面を参照して詳述する。
図１及び図２に示すように、人体１は所定位置に固定されているベッド２の上面にシーツ（図略）等を介して横たわるように形成されている。人体１の頭部１ａにはその下面でベッド２上に枕３が通常設けられている。
人体１は各部が形成されているが人体１をベッド２から持ち上げるには通常頭部１ａと肩部１ｂと腰部１ｃが便利である。勿論それ以外の部分も持ち上げ可能であるが、本実施例では頭部１ａ，肩部１ｂ，腰部１ｃを人体１の持ち上げの部位とした。しかしながら、勿論これに限定するものではない。
なお、図２に示すように本発明の人体左右均等急速持ち上げ装置は、例えば頭部１ａや肩部１ｂを持ち上げるものと腰部を持ち上げるものと別々でもよいが点線で示す横材７により連結され一体的構造になるものでもよい。
【００１６】  図１及び図２に示すように、持ち上げの必要である頭部１ａ，肩部１ｂ，腰部１ｃには夫々第１のベルト４，第２のベルト５，第３のベルト６が夫々頭部１ａ，肩部１ｂ，腰部１ｃの下面を介して左右に伸延して配置され、その端部には接合用金具（図略）が設けられている。
第１のベルト４は通常は図１及び図２に示すように頭部１ａの下面に接して配置されるが図５に示すように枕３に連結され、枕３と頭部１ａとを同時に持ち上げるように配置される場合もある。
また、図６に示すように、頭部１ａと肩部１ｂの全体の下面に接する１枚の保持シート８に第１のベルト４や第２のベルト１ｂを連結し、頭部１ａと肩部１ｂを同時に持ち上げるものも設けられている。
【００１７】  図１及び図２に示すように、第１のベルト４と第２のベルト５及び第６のベルト１ｃには夫々支持ベルト９，１０が接合用金具１１を介して着脱可能に連結されている。
【００１８】  次に、巻き取り機構部を説明する。この巻き取り機構部は、枠体１２とローラ群１３と巻き取りローラ機構部１４とからなる。
【００１９】  枠体１２は地面１５に平行に配置される下部枠体１２ａとこれから立設する垂直枠体１２ｂと垂直枠体１２ｂの頂部に固定され地面１５と水平に配置される上部枠体１２ｃ等とからなる。下部枠体１２ａの下面側にはキャスタ１６が設けられている。このため枠体１２は移動可能の機構からなり、図１及び図２に示すように必要時において人体１が横たわっているベッド２の所定位置に挿入されて使用可能の状態になる。勿論不要時にはベッド２側から離れることが出来る。
【００２０】  ローラ群１３は、図１に示すように上部枠体１２ｃに配置されるローラ１３ａ，１３ｂ，１３ｃ，１３ｄとローラ１３ｅ，１３ｆ等とからなり、支持ベルト９，１０の図１に示す左側のものはローラ１３ａ，１３ｂ，１３ｃ，１３ｄに案内されローラ１３ｄより巻き取りローラ機構部１４内に案内される。
一方、図１に示す右側の支持ベルト９，１０はローラ１３ｅ及び１３ｆに案内されて巻き取りローラ機構部１４内に案内される。
【００２１】  次に、巻き取りローラ機構部１４の構造を図１により説明する。
巻き取りローラ機構部１４は、モータ１７とねじ棒１８と巻き取り部１９等とから構成され、左右の支持ベルト９，１０を巻き取って人体１を急速に持ち上げる構造のものからなり、その各部を以下に説明する。
【００２２】  モータ１７は下部枠体１２ａ上に固定されねじ棒１８はモータ１７により駆動され垂直枠体１２ｂ内に垂直に配置される。巻き取り部１９は、ねじ棒１８に螺合して上下動するナット体２０と、ナット体２０に下端を固定されて立ち上がる筒体２１と、筒体２１の上部に配置される左右のローラ２２，２３とからなる。
左右のローラ２２，２３のローラ２２は図１における図の右側の支持ベルト９，１０を巻き取るものであり、ローラ２３は図１の左側の支持ベルト９，１０を巻き取るためのものである。この左右のローラ２２，２３に巻き取られた支持ベルト９，１０はその端部を垂直枠体１２ｂの上端側に固定される。
以上により、巻き取り部１９が上下することにより支持ベルト９，１０は巻き取られることになる。
【００２３】  図３は巻き取り部１９による支持ベルト９，１０の巻き取り動作を説明するための図である。
図の実線の状態では左右のローラ２２，２３は上端にあり、支持ベルト９，１０の巻き取りは行われていない。
モータ１７によりねじ棒が回転すると、これに伴ってナット体２０が図の点線で示すように下降し、これにより、左右のローラ２２，２３も下降する。また、支持ベルト９，１０は巻き取られることになる。逆にねじ棒１８を回転することによりナット体２０が上昇し、左右のローラ２２，２３も上昇し、支持ベルト９，１０の巻き取りがなくなり、結果として人体１はベッド上に横たわる元の姿勢になる。
【００２４】  図４は本発明の人体左右均等急速持ち上げ装置による人体１の持ち上げの急速化を説明するための説明図である。
前記の説明により左右のローラ２２，２３がＡの位置からＢの位置まで寸法ａだけ下降したとすると、支持ベルト９，１０はその一端が垂直枠体１２ｂに固定されているため２ａだけ巻き取られることになる。即ち、急速の巻き取りが行われることになる。
以上の動作は円滑に行われるため安全な持ち上げ作業を行うことが出来る。
【００２５】  本発明の人体左右均等急速持ち上げ装置の構造は、以上の説明のものからなるが、この説明内容に限定するものではなく、同一技術的範疇のものが適用されることは勿論である。
【産業上の利用可能性】
【００２６】  本発明は、各種のベッドに対する適用可能であり、また、別の用途にも適用可能であり、その利用範囲は極めて広い。
【符号の説明】
【００２７】１      人体
１ａ    頭部
１ｂ    肩部
１ｃ    腰部
２      ベッド
３      枕
４      第１のベルト
５      第２のベルト
６      第３のベルト
７      横材
８      保持シート
９      支持ベルト
１０    支持ベルト
１１    接合用金具
１２    枠体
１２ａ  下部枠体
１２ｂ  垂直枠体
１２ｃ  上部枠体
１３    ローラ群
１４    巻き取りローラ機構部
１５    地面
１６    キャスタ
１７    モータ
１８    ねじ棒
１９    巻き取り部
２０    ナット体
２１    筒体
２２    左右のローラ
２３    左右のローラ
【図１】
2015134139.tif 000003
【図２】
2015134139.tif 000004
【図３】
2015134139.tif 000005
【図４】
2015134139.tif 000006
【図５】
2015134139.tif 000007
【図６】
2015134139.tif 000008